(57)【特許請求の範囲】
【請求項１】
ＰＯＮのユーザ側に接続される加入者線ネットワーク装置（ＯＮＵ）であって、
電源が供給される複数のコネクタと、
前記コネクタと電源供給との関係を管理する電源管理機能部と、
ＰＯＮの上位ネットワーク側に接続される光加入者線終端装置（ＯＬＴ）との間で電源供給に関する信号を送受し、前記コネクタと電源供給との関係を前記ＯＬＴで制御可能とさせる信号処理部と、
を備え、
前記電源管理機能部は、
前記ＯＬＴから問合せがあったとき、いずれの前記コネクタに電源供給されているかの情報を取得し、前記情報を前記ＯＬＴへ送信することを特徴とするＯＮＵ。
【請求項２】
前記電源管理機能部は、
電源供給される前記コネクタが変更されたとき、前記コネクタの変更を警報として前記ＯＬＴへ送信することを特徴とする請求項１に記載のＯＮＵ。
【請求項３】
前記電源管理機能部は、
前記ＯＬＴから前記コネクタの選択要求があったとき、前記選択要求に応じて前記コネクタ毎に電源供給の有効化又は無効化を行うことを特徴とする請求項１又は２に記載のＯＮＵ。
【請求項４】
ＰＯＮの上位ネットワーク側に接続されるＯＬＴとＰＯＮのユーザ側に接続されるＯＮＵとの間で電源供給に関する信号を送受し、前記ＯＮＵが備える複数のコネクタと電源供給との関係を前記ＯＬＴで管理する遠隔管理方法であって、
前記ＯＬＴから問合せがあったとき、いずれの前記コネクタに電源供給されているかの情報を取得し、前記情報を前記ＯＬＴへ送信することを特徴とする遠隔管理方法。
【請求項５】
電源供給される前記コネクタが変更されたとき、前記コネクタの変更を警報として前記ＯＬＴへ送信することを特徴とする請求項４に記載の遠隔管理方法。
【請求項６】
前記ＯＬＴから前記コネクタの選択要求があったとき、前記選択要求に応じて前記コネクタ毎に電源供給の有効化又は無効化を行うことを特徴とする請求項４又は５に記載の遠隔管理方法。
【発明の詳細な説明】
【技術分野】
【０００１】
本発明は、複数系統の給電機構を有する加入者線ネットワーク装置及びこれの遠隔監視方法に関する。
【背景技術】
【０００２】
図１は、ポイントツーマルチポイントの光加入者システムを示す図である。図１のような光加入者システムはＰＯＮ（Ｐａｓｓｉｖｅ  Ｏｐｔｉｃａｌ  Ｎｅｔｗｏｒｋ）と呼ばれることがある（例えば、非特許文献１を参照。）。図１の光加入者システムは、上位ネットワークＮ、ユーザ端末ＴＰ−１、ＴＰ−２、・・・、ＴＰ−Ｎ、光ファイバＦ、光スプリッタＳ、ＯＬＴ１及びＯＮＵ２−１、２−２、・・・、２−Ｎから構成される。ＯＬＴ１は、ＯＮＵ２−１、２−２、・・・、２−Ｎとポイントツーマルチポイントで接続される。
【０００３】
保守者は、光加入者システムの運用に際し、ＯＮＵの状態、つまりＯＮＵ本体や送受信する通信状態などを把握するために、保守端末を操作し、ＯＬＴを介してＯＮＵの遠隔設定及び遠隔監視を実行することができる。一方、保守者は、ＯＮＵの電源状態について、電源供給が行われているかいないか、つまり電源のＯＮ／ＯＦＦの状態のみ把握することができる。ここでＯＬＴは、通信事業者側に設置され、通常１００Ｖまたは４８Ｖの給電が可能であり、複数の電源系統から供給可能である。しかしＯＮＵについては、装置コストの低減という観点、また商用電源が比較的安定的に供給されている点が考慮され、電源供給を複数系統から行うような実装はされていない。また商用電源からの供給が何らかの原因で絶たれた場合には、バッテリー等に差し替えるといった技術もある（例えば、非特許文献２を参照。）。
【先行技術文献】
【非特許文献】
【０００４】
【非特許文献１】技術基礎講座「ＧＥ−ＰＯＮ技術」、ＮＴＴ技術ジャーナル、２００５．８、ｐｐ７１−７４
【非特許文献２】光モバイルバッテリーＨＭＢ−１０  取扱説明書
【発明の概要】
【発明が解決しようとする課題】
【０００５】
従来技術においてＯＮＵでは１系統の電源供給のみであり、電源供給が絶たれた場合には、ユーザ側で予備のバッテリーに接続し直す等の作業が必要であった。その上、電源系統が１つであるが故に、その供給元が商用電源であるかまたはバッテリーであるかを保守者は遠隔で知ることができない。そのため通信事業者はユーザから電源に関する故障申告を得た際に問診にて電源供給系統を確認するなどの非効率的な運用が生じるという課題があった。
【０００６】
そこで、前記課題を解決するために、本発明は、電源供給系統に関して効率的な運用を可能とする加入者線ネットワーク装置（ＯＮＵ）及び遠隔管理方法を提供することを目的とする。
【課題を解決するための手段】
【０００７】
上記目的を達成するために、本発明は、ＯＮＵでは給電に際し複数の電源入力を持ち、またその電源系統を監視及び管理するために、ＯＮＵとＯＬＴとの間で、自己の現在の電源供給系統に関する情報の送受信を実行することとした。
【０００８】
具体的には、本発明に係るＯＮＵは、ＰＯＮのユーザ側に接続されるＯＮＵであって、電源が供給される複数のコネクタと、前記コネクタと電源供給との関係を管理する電源管理機能部と、ＰＯＮの上位ネットワーク側に接続されるＯＬＴとの間で電源供給に関する信号を送受し、前記コネクタと電源供給との関係を前記ＯＬＴで制御可能とさせる信号処理部と、を備える。
【０００９】
本発明に係る遠隔管理方法は、ＰＯＮの上位ネットワーク側に接続されるＯＬＴとＰＯＮのユーザ側に接続されるＯＮＵとの間で電源供給に関する信号を送受し、前記ＯＮＵが備える複数のコネクタと電源供給との関係を前記ＯＬＴで管理する。
【００１０】
本発明におけるシステム構成は、自己の電源供給系統に関する情報の送受信をＯＬＴとの間で実行するＯＮＵと、対向のＯＮＵに関する電源供給系統に関する情報の送受信を可能とするＯＬＴとを備えるシステムである。この構成によれば、複数の電源供給系統をもつＯＮＵに対し遠隔監視を行うことが可能となる。
【００１１】
以上のように、本発明は、電源供給系統に関して効率的な運用を可能とするＯＮＵ及び遠隔管理方法を提供することができる。
【００１２】
本発明に係るＯＮＵの前記電源管理機能部は、前記ＯＬＴから問合せがあったとき、いずれの前記コネクタに電源供給されているかの情報を取得し、前記情報を前記ＯＬＴへ送信する。本発明に係る遠隔管理方法は、前記ＯＬＴから問合せがあったとき、いずれの前記コネクタに電源供給されているかの情報を取得し、前記情報を前記ＯＬＴへ送信する。ＯＬＴ側から現在ＯＮＵにいずれの電源が供給されているかを確認することができる。
【００１３】
本発明に係るＯＮＵの前記電源管理機能部は、電源供給される前記コネクタが変更されたとき、前記コネクタの変更を警報として前記ＯＬＴへ送信する。本発明に係る遠隔管理方法は、電源供給される前記コネクタが変更されたとき、前記コネクタの変更を警報として前記ＯＬＴへ送信する。ＯＬＴはＯＮＵで電源が変更されたことを認識することができる。
【００１４】
本発明に係るＯＮＵの前記電源管理機能部は、前記ＯＬＴから前記コネクタの選択要求があったとき、前記選択要求に応じて前記コネクタ毎に電源供給の有効化又は無効化を行う。本発明に係る遠隔管理方法は、前記ＯＬＴから前記コネクタの選択要求があったとき、前記選択要求に応じて前記コネクタ毎に電源供給の有効化又は無効化を行う。ＯＬＴ側からいずれの電源でＯＮＵを駆動するかを設定することができる。
【発明の効果】
【００１５】
本発明は、電源供給系統に関して効率的な運用を可能とするＯＮＵ及び遠隔管理方法を提供することができる。
【図面の簡単な説明】
【００１６】
【図１】ポイントツーマルチポイントの光加入者システムを示す図である。
【図２】本発明に係るＯＮＵを含む光加入者システムを示す図である。
【図３】本発明に係る遠隔管理方法を説明するフローチャートである。
【図４】本発明に係る遠隔管理方法を説明するフローチャートである。
【図５】本発明に係る遠隔管理方法を説明するフローチャートである。
【発明を実施するための形態】
【００１７】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１８】
図２は、本実施形態のＯＮＵ２を含む光加入者システムを示す図である。図２の光加入者システムは、制御端末ＴＣ、ユーザデータ情報端末ＴＰ、光ファイバＦ、光スプリッタＳ、ＯＬＴ１及びＯＮＵ２から構成される。
【００１９】
ＯＮＵ２は複数系統の給電機構を有しており、電力供給がどの系統から行われているのかの監視手段を実装する。ＯＮＵ２は、自己の電源供給系統に関する情報の送受信をＯＬＴ１との間で実行する。ＯＬＴ１は、対向のＯＮＵ２に関する電源供給系統に関する情報の送受信を可能とする。そして、図２の光加入者システムは、ＯＮＵ２とＯＬＴ１との間で、ＯＮＵ２の現在の電源供給系統に関する情報の送受信を実行する。これにより、通信事業者は、ユーザから電源に関する故障申告を得た際に、問診などを要せず効率的にユーザの装置の電源供給系統に関する情報を取得することが可能である。
【００２０】
ＯＮＵ２の具体的な構成を説明する。ＯＮＵ２は、
電源が供給される複数のコネクタ（Ｃ１、Ｃ２、・・・ＣＮ）と、
前記コネクタと電源供給との関係を管理する電源管理機能部２２と、
ＯＬＴ１との間で電源供給に関する信号を送受し、前記コネクタと電源供給との関係を前記ＯＬＴで制御可能とさせる信号処理部２７と、
を備える。
さらにＯＮＵ２は、光ファイバＦと接続するＰＯＮ−ＩＦポート２４、及びユーザ端末ＴＰが接続されるＵＮＩポート２５も備える。
【００２１】
信号処理部２７は、共通実装機能部２１及びＰＯＮ機能部２３を含む。共通実装機能部２１は、電気信号と光信号とを相互に変換する機能を有する。
【００２２】
前記コネクタは、ＡＣ１００Ｖ電源より電源アダプタを介して接続されるコネクタＣ１、宅内のバッテリーなどから直流電源を接続するコネクタＣ２、・・・コネクタＣＮである。ＯＮＵ２は、通常ＡＣ電源より電源アダプタを介してコネクタＣ１から電力供給を受けて動作を行う。一方、停電時などＡＣ電源が使用不可となる場合、ユーザは、コネクタ形状や電源電圧などを考慮して他のコネクタ（Ｃ２、Ｃ３、・・・、ＣＮ）のうち該当するコネクタを選択し、他の商用電源やバッテリー等を接続することが可能である。
【００２３】
（実施例１）
本実施例は、ＯＮＵ２をＯＬＴ１で遠隔管理する方法であって、ＯＬＴ１から問合せがあったとき、ＯＮＵ２はいずれのコネクタに電源供給されているかの情報を取得し、前記情報をＯＬＴ１へ送信する。
【００２４】
運用者はＯＬＴ１の制御端末ＴＣを介し、ＯＬＴ１よりＯＮＵ２の電源供給系統に関する情報取得を要求する。その際、ＯＮＵ２はその要求を受け、電源管理機能部２２にて電源供給系統に関する情報を取得してＯＬＴ１へ通知する。通知された情報は制御端末ＴＣ経由で運用者に伝達される。
【００２５】
図３は、本実施例の遠隔管理方法を説明するフローチャートである。この時の各機能部の動きは下記の通りである。
ＯＬＴ１はＯＡＭフレームを送信し、ＯＮＵ２のＰＯＮ機能部２３は、ＯＡＭフレームを受信する（ステップＳ３１）。ＰＯＮ機能部２３は、ＯＡＭフレームを解析する（ステップＳ３２）。ＰＯＮ機能部２３は、ＯＡＭフレームが電源供給系統に関するものであるとき（ステップＳ３２においてＹＥＳ）、電源管理機能部２２にＯＡＭフレームの内容を処理させる（ステップＳ３３〜ステップＳ３６）。ＰＯＮ機能部２３は、ＯＡＭフレームが電源供給系統に関するもので無いとき（ステップＳ３２においてＮＯ）、ＰＯＮ機能部２３にてＯＡＭフレームの内容を処理する（ステップＳ３７）。
【００２６】
電源管理機能部２２は、ＯＡＭフレームが電源供給系統の情報取得に関するものであるとき（ステップＳ３３においてＹＥＳ）、電源供給系統の情報通知を実行する（ステップＳ３４、ステップＳ３５）。電源管理機能部２２は、ＯＡＭフレームが電源供給系統の情報取得に関するものでないとき（ステップＳ３３においてＮＯ）、電源供給系統の情報通知でないＯＬＴの要求を実行する（ステップＳ３６）。電源管理機能部２２は、ＰＯＮ機能部２３に電源供給系統の情報を含むＯＡＭフレームを作成させる（ステップＳ３４）。ＰＯＮ機能部２３は、電源供給系統の情報を含むＯＡＭフレームを送信し（ステップＳ３５）、ＯＬＴは、電源供給系統の情報を含むＯＡＭフレームを受信する。
【００２７】
本遠隔管理方法により、運用者はＯＮＵ２に対する電源供給系統の遠隔監視が可能となる。
【００２８】
なお、「ＯＡＭフレーム」は、例えば、ＩＥＥＥ８０２．３ａｈ標準のｃｌａｕｓｅ  ５７にて規定されるＯｒｇａｎｉｚａｔｉｏｎ  Ｓｐｅｃｉｆｉｃ  ＯＡＭＰＤＵ（拡張ＯＡＭ）である。この拡張ＯＡＭは各事業者にて独自拡張することを認められており、保守目的で独自に定義し使用することが可能である。
【００２９】
（実施例２）
本実施例は、ＯＮＵ２をＯＬＴ１で遠隔管理する方法であって、電源供給されるコネクタが変更されたとき、ＯＮＵ２はコネクタの変更を警報としてＯＬＴ１へ送信する。
【００３０】
ＯＮＵ２は、電源管理機能部２２にて電源供給系統を監視し、電源供給系統の変化があった際、通知設定に応じてＯＬＴ１へ警報情報として通知を行う。通知された情報は制御端末ＴＣ経由で運用者に伝達される。
【００３１】
図４は、本実施例の遠隔管理方法を説明するフローチャートである。この時の各機能部の動きは下記の通りである。
コネクタＣ１からコネクタＣ２へ、またはコネクタＣ２からコネクタＣＮへなど、電源供給系統が変更になった際、電源管理機能部２２はその状態変化を確認する。（ステップＳ４１）その際、電源管理機能部２２は、該当する電源系統変化を警報情報として保存する。（ステップＳ４２）
【００３２】
次に警報情報をＯＬＴ１に通知するかどうかを規定する設定値を確認する（ステップＳ４３）。設定値が警報情報をＯＬＴ１に通知することを規定しているとき（ステップＳ４４においてＹＥＳ）、電源管理機能部２２は、ＰＯＮ機能部２３に警報情報を含むＯＡＭフレームを作成させる。ＰＯＮ機能部２３は、警報情報を含むＯＡＭフレームを送信し（ステップＳ４５）、ＯＬＴ１は警報情報を含むＯＡＭフレームを受信する。また、設定値が警報情報をＯＬＴ１に通知しないことを規定しているとき（ステップＳ４４においてＮＯ）、遠隔監視処理を終了する。
【００３３】
本遠隔管理方法により、運用者はＯＮＵ２に対する電源供給系統の遠隔監視が可能となる。
【００３４】
（実施例３）
本実施例は、ＯＮＵ２をＯＬＴ１で遠隔管理する方法であって、ＯＬＴ１からコネクタの選択要求があったとき、前記選択要求に応じてコネクタ毎に電源供給の有効化又は無効化を行う。
【００３５】
運用者はＯＬＴ１の制御端末ＴＣを介し、ＯＬＴ１よりＯＮＵ２の各電源供給系統の有効／無効を制御する。その際、ＯＮＵ２はその指示を受け、電源管理機能部２２にて各電源供給系統有効／無効を設定し、設定結果をＯＬＴ１へ通知する。通知された設定結果は制御端末ＴＣ経由で運用者に伝達される。
【００３６】
図５は、本実施例の遠隔管理方法を説明するフローチャートである。この時の各機能部の動きは下記の通りである。
ＯＬＴ１はＯＡＭフレームを送信し、ＰＯＮ機能部２３は、ＯＡＭフレームを受信する（ステップＳ５１）。ＰＯＮ機能部２３は、ＯＡＭフレームを解析する（ステップＳ５２）。ＰＯＮ機能部２３は、ＯＡＭフレームが電源供給系統に関するものであるとき（ステップＳ５２においてＹＥＳ）、電源管理機能部２２にＯＡＭフレームの内容を処理させる。（ステップＳ５３〜ステップＳ５８）。ＰＯＮ機能部２３は、ＯＡＭフレームが電源供給系統に関するものでないとき（ステップＳ５２においてＮＯ）、ＰＯＮ機能部２３にてＯＡＭフレームの内容を処理する（ステップＳ５９）。
【００３７】
電源管理機能部２２は、ＯＡＭフレームが各電源供給系統の有効／無効設定に関するものであるとき（ステップＳ５３においてＹＥＳ）、電源供給系統の有効／無効設定を実行する（ステップＳ５４〜ステップＳ５７）。電源管理機能部２２は、ＯＡＭフレームが各電源供給系統の有効／無効設定に関するものでないとき（ステップＳ５３においてＮＯ）、各電源供給系統の有効／無効設定でないＯＬＴ１の要求を実行する（ステップＳ５８）。
【００３８】
電源管理機能部２２は、ＯＡＭフレームが電源供給系統の有効化に関するものであるとき（ステップＳ５４においてＹＥＳ）、該当するコネクタ（Ｃ１、Ｃ２、・・・ＣＮ）を有効化する（ステップＳ５５）。電源管理機能部２２は、ＯＡＭフレームが電源供給系統の無効化に関するものであるとき（ステップＳ５４においてＮＯ）、該当するコネクタ（Ｃ１、Ｃ２、・・・ＣＮ）を無効化する（ステップＳ５６）。
【００３９】
電源管理機能部２２は、ＰＯＮ機能部２３に設定結果を含むＯＡＭフレームを作成させる。ＰＯＮ機能部２３は、設定結果を含むＯＡＭフレームを送信し（ステップＳ５７）、ＯＬＴ１は設定結果を含むＯＡＭフレームを受信する。
【００４０】
本遠隔管理方法により、運用者はＯＮＵ２に対する電源供給系統の遠隔操作が可能となる。
【００４１】
実施例１〜３で説明した遠隔管理方法は組み合わせることができる。これらを組み合わせた光加入者システムは、ＯＮＵの電源供給系統に関する遠隔監視、遠隔設定、及び遠隔制御を実行し、複数系統の給電機構を有するＯＮＵの効率的な運用を可能とする。これにより、通信事業者はユーザから電源に関する故障申告を得た際に、電話などを用いて問診で状況の問合せを行うことなく、遠隔から電源に関する状況を把握する事が可能となり、迅速な故障対応に寄与しうる。
【符号の説明】
【００４２】
１：ＯＬＴ
２、２−１、２−２、・・・、２−Ｎ：ＯＮＵ
２１：共通実装機能部
２２：電源管理機能部
２３：ＰＯＮ機能部
２４：ＰＯＮ−ＩＦポート
２５：ＵＮＩポート
２７：信号処理部
Ｃ１、Ｃ２、・・・、ＣＮ：コネクタ
Ｆ：光ファイバ
Ｎ：上位ネットワーク
Ｓ：光スプリッタ
ＴＣ：制御端末
ＴＰ、ＴＰ−１、ＴＰ−２、・・・、ＴＰ−Ｎ：ユーザ端末
【図１】
0005753127.tif 000002
【図２】
0005753127.tif 000003
【図３】
0005753127.tif 000004
【図４】
0005753127.tif 000005
【図５】
0005753127.tif 000006